(57)【特許請求の範囲】
【請求項１】
建物の開閉口を開閉可能な障子の戸先框における室内面に取り付けられるベース部と、前記ベース部に対して上下に延びた回動軸を中心に回動可能か或いは前記障子のスライド方向にスライド可能なハンドル部と、前記ベース部に対して前記障子のスライド方向に往復動可能な押圧部とを備えてなり、前記障子が閉鎖位置にあるときに前記ハンドル部を前記ベース部に対して戸尻側に操作すると前記押圧部が戸先側に移動して前記開閉口の内側面を押圧し、前記障子の初動抵抗を軽減することが可能なアシストハンドルにおいて、
前記ベース部の上下の両端部から戸先側に１対のベース突部を突出させて、前記ベース部全体を略Ｃ字形状にすると共に、前記押圧部を対にして前記１対のベース突部にそれぞれ組み付けたことを特徴とするアシストハンドル。
【請求項２】
前記ハンドル部における上下方向の中間部のうち戸先側を向いた部分に、指先を係止可能な前側指先係止凹部を設けたことを特徴とする請求項１に記載のアシストハンドル。
【請求項３】
前記ハンドル部における上下方向の中間部のうち戸尻側を向いた部分に、指先を係止可能な後側指先係止凹部を設けたことを特徴とする請求項１又は２に記載のアシストハンドル。
【請求項４】
前記ハンドル部は、上下に延びた回動軸を中心に回動し、
前記ハンドル部のうち上下方向の中間部の水平断面形状は、前記ハンドル部の非操作時において、回動軸から室内側に向かって戸尻側に傾斜するように突出した第１Ｌ字構成壁と、その第１Ｌ字構成壁の先端部から鋭角に屈曲して戸先側に突出した第２Ｌ字構成壁とから構成された略Ｌ字形状をなし、前記ハンドル部を可動範囲の初期位置から終端位置まで回動したときに、前記第１Ｌ字構成壁が戸尻側に倒れて、前記第２Ｌ字構成壁が室内側に突出した状態となるように構成したことを特徴とする請求項１乃至３の何れか１の請求項に記載のアシストハンドル。
【請求項５】
前記ベース部には、前記ハンドル部を上下方向で挟むように配置された１対の上下対向壁が設けられて、それら１対の上下対向壁を上下に貫通するピン孔に挿入した１対のピンにて前記ハンドル部が回動可能に支持され、
前記ベース部のうち前記戸先框に宛がわれる底面に底蓋プレートを備え、その底蓋プレートが前記戸先框に螺子止めされると共に、前記１対の上下対向壁から前記ハンドル部と反対側に１対の端部突壁が突出し、それら１対の端部突壁が前記底蓋プレートに重ねられて底蓋プレート固定螺子にて固定され、
前記底蓋プレート固定螺子が前記ピンの延長線上に配置されて、前記ピンの抜け止めに兼用されたことを特徴とする請求項１乃至４の何れか１の請求項に記載のアシストハンドル。
【発明の詳細な説明】
【技術分野】
【０００１】
本発明は、ガラス戸等の室内面に取り付けられて、障子を開く際の初動抵抗を軽減することが可能なアシストハンドルに関する。
【背景技術】
【０００２】
従来、この種のアシストハンドルとして、ガラス戸の戸先框に取り付けられたベース部に対して、ハンドル部を回動操作可能に備えたもの（例えば、特許文献１参照）や、スライド操作可能に備えたもの（例えば、特許文献２参照）が知られている。
【先行技術文献】
【特許文献】
【０００３】
【特許文献１】特開２００６−９７２４８号公報（図２〜図６）
【特許文献２】特許第３９２７９３８号公報（図３，図４）
【発明の概要】
【発明が解決しようとする課題】
【０００４】
ところで、アシストハンドルはガラス戸から室内側に突出した状態になるため、その突出量が大きいと、ハンドル部がカーテンに引っ掛かったり、和障子と干渉する等の事態が生じ得た。しかしながら、上記した従来のアシストハンドルでは、ガラス戸からの突出量を抑えるためにアシストハンドル全体を薄くすると、ハンドル部を操作する際の指先がベース部に干渉し、操作性が低下するという問題が生じ得た。
【０００５】
本発明は、上記事情に鑑みてなされたもので、障子からの突出量を抑えることができかつ操作性にも優れるアシストハンドルの提供を目的とする。
【課題を解決するための手段】
【０００６】
上記目的を達成するためになされた請求項１の発明に係るアシストハンドルは、建物の開閉口を開閉可能な障子の戸先框における室内面に取り付けられるベース部と、ベース部に対して上下に延びた回動軸を中心に回動可能か或いは障子のスライド方向にスライド可能なハンドル部と、ベース部に対して障子のスライド方向に往復動可能な押圧部とを備えてなり、障子が閉鎖位置にあるときにハンドル部をベース部に対して戸尻側に操作すると押圧部が戸先側に移動して開閉口の内側面を押圧し、障子の初動抵抗を軽減することが可能なアシストハンドルにおいて、ベース部の上下の両端部から戸先側に１対のベース突部を突出させて、ベース部全体を略Ｃ字形状にすると共に、押圧部を対にして１対のベース突部にそれぞれ組み付けたところに特徴を有する。
【０００７】
なお、本書類において「障子」とは、ガラス戸、雨戸等のように建物の開閉口を開閉する「戸」の全般を意味する。
【０００８】
請求項２の発明は、請求項１に記載のアシストハンドルにおいて、ハンドル部のうち戸先側を向いた部分に、指先を係止可能な前側指先係止凹部を設けたところに特徴を有する。
【０００９】
請求項３の発明は、請求項１又は２に記載のアシストハンドルにおいて、ハンドル部のうち戸尻側を向いた部分に、指先を係止可能な後側指先係止凹部を設けたところに特徴を有する。
【００１０】
請求項４の発明は、請求項１乃至３の何れか１の請求項に記載のアシストハンドルにおいて、ハンドル部は、上下に延びた回動軸を中心に回動し、ハンドル部のうち上下方向の中間部の水平断面形状は、ハンドル部の非操作時において、回動軸から室内側に向かって戸尻側に傾斜するように突出した第１Ｌ字構成壁と、その第１Ｌ字構成壁の先端部から鋭角に屈曲して戸先側に突出した第２Ｌ字構成壁とから構成された略Ｌ字形状をなし、ハンドル部を可動範囲の初期位置から終端位置まで回動したときに、第１Ｌ字構成壁が戸尻側に倒れて、第２Ｌ字構成壁が室内側に突出した状態となるように構成したところに特徴を有する。
【００１１】
請求項５の発明は、請求項１乃至４の何れか１の請求項に記載のアシストハンドルにおいて、ベース部には、ハンドル部を上下方向で挟むように配置された１対の上下対向壁が設けられて、それら１対の上下対向壁を上下に貫通するピン孔に挿入した１対のピンにてハンドル部が回動可能に支持され、ベース部のうち戸先框に宛がわれる底面に底蓋プレートを備え、その底蓋プレートが戸先框に螺子止めされると共に、１対の上下対向壁からハンドル部と反対側に１対の端部突壁が突出し、それら１対の端部突壁が底蓋プレートに重ねられて底蓋プレート固定螺子にて固定され、底蓋プレート固定螺子がピンの延長線上に配置されて、ピンの抜け止めに兼用されたところに特徴を有する。
【発明の効果】
【００１２】
［請求項１の発明］
請求項１のアシストハンドルでは、ベース部全体を略Ｃ字形状とし、押圧部を対にしてベース部における上下の両端部の１対のベース突部にそれぞれ組み付けたので、ハンドル部を操作したときには、上下に間隔を空けた２箇所で押圧部が開閉口の内側面を押圧することになり、安定した押圧が可能になる。また、ベース部全体が略Ｃ字形状になっているので、指先又は指の関節部分を１対のベース突部の間に突入させてハンドル部に指を掛けることができる。これにより、アシストハンドル全体を薄くしても、ハンドル部を操作する際の手がベース部に干渉し難くなる。即ち、本発明のアシストハンドルによれば、全体を薄くして障子からの突出量を抑えることが可能でありかつ操作性も向上させることができる。
【００１３】
［請求項２の発明］
請求項２の構成によれば、障子を開く際にハンドル部に掛けた指先が、ハンドル部の前側指先係止凹部に係止し、滑り止めが図られる。
【００１４】
［請求項３の発明］
請求項３の構成によれば、障子を閉じる際にハンドル部に掛けた指先が、ハンドル部の後側指先係止凹部に係止し、滑り止めが図られる。
【００１５】
［請求項４の発明］
請求項４の構成では、ハンドル部のうち上下方向の中間部の水平断面形状は、回動軸から戸尻側に傾斜して突出した第１Ｌ字構成壁と、その先端部から鋭角に屈曲して戸先側に突出した第２Ｌ字構成壁とで構成されているので、第１と第２のＬ字構成壁を直交させた単なるＬ字形状のハンドル部に比べて、非操作時における室内側への突出量を抑えることができる。
【００１６】
［請求項５の発明］
請求項５の構成によれば、ベース部の底蓋プレートをベース部の本体に螺子止めするための底蓋固定螺子を、ハンドル部を回動可能に支持するピンの抜け止めに兼用したので、部品点数の削減が図られる。
【図面の簡単な説明】
【００１７】
【図１】本発明の第１実施形態のアシストハンドルを備えた開閉口の断面図
【図２】アシストハンドルの斜視図
【図３】アシストハンドルの正断面図
【図４】（Ａ）図３のＡ−Ａ切断面におけるアシストハンドルの不使用状態の断面図，（Ｂ）同切断面におけるアシストハンドルの使用状態の断面図
【図５】（Ａ）図３のＢ−Ｂ切断面におけるアシストハンドルの不使用状態の断面図，（Ｂ）同切断面におけるアシストハンドルの使用状態の断面図
【図６】第２実施形態のアシストハンドルを備えた開閉口の断面図
【図７】アシストハンドルの不使用状態の斜視図
【図８】アシストハンドルの使用状態の斜視図
【図９】アシストハンドルの側断面図
【図１０】（Ａ）変形例に係るアシストハンドルの不使用状態の断面図，（Ｂ）同アシストハンドルの使用状態の断面図
【発明を実施するための形態】
【００１８】
［第１実施形態］
以下、本発明の第１実施形態を図１〜図５に基づいて説明する。図１には、建物の窓としての開閉口１０の平断面図が示されている。この開閉口１０のうち室外側の略半分はアルミ及び樹脂にて形成されたガラス戸支持枠１１にて囲まれ、室内側の略半分は木製の和障子支持枠１２にて覆われている。そして、ガラス戸支持枠１１の内側には、１対のガラス戸１３，１３（本発明の「障子」に相当する）が、互いにすれ違うようにスライド可能に支持される一方、和障子支持枠１２の内側には、１対の和障子２９，２９が互いにすれ違うようにスライド可能に支持されている。
【００１９】
各ガラス戸１３は、１対のガラス板１４，１４をガラス枠１５にて囲んで支持した二重ガラス構造をなしている。各ガラス枠１５は、アルミの角筒体を枠状に接合して構成され、ガラス枠１５のうち一方の縦辺部分が本発明に係る戸先框１８となり、他方の縦辺部分が戸尻框１６となっている。そして、両ガラス戸１３，１３の戸尻框１６，１６の間に設けたクレセント錠１７にて施解錠されるようになっている。
【００２０】
各ガラス戸１３の戸先框１８には、ガラス戸１３と開閉口１０の内側面１０Ｈとの間の隙間風を防ぐためのシール部材２５が取り付けられている。具体的には、各ガラス戸１３における戸先框１８のうちガラス戸１３のスライド方向を向いた端面には、上下方向の全体にシール収容溝２１が形成されている。これらに対し、ガラス戸支持枠１１の各内側面１０Ｈからは、各シール収容溝２１内に突入可能な待受突壁２２が上下方向全体に亘って突出形成されている。
【００２１】
シール収容溝２１内にはガイド部品２３とシール突片２４とが設けられている。ガイド部品２３は、シール収容溝２１内における奥面と室内寄りの内側面とを被っている。また、室内側を被った部分がシール収容溝２１の開口面まで膨らんだ形状をなし、室内寄りの内側面を被った部分は、シール収容溝２１の幅方向における中央位置まで膨らんでいる。そして、ガラス戸１３を閉じるとガイド部品２３のテーパ面２３Ａが待受突壁２２に当接し、テーパの作用により、ガラス戸１３が室内側へ移動させられて、シール突片２４が待受突壁２２に密着するように構成されている。
【００２２】
シール収容溝２１の溝内側面からは、シール部材２５に備えた１対のシール突片２４，２４が、待受突壁２２の側面に向かって突出している。これら１対のシール突片２４，２４は、先端に向かって若干肉薄になったヒレ状をなし、互いに平行になって上下方向に延びている。そして、シール突片２４，２４はガラス戸１３を閉じたときに待受突壁２２に密着する。なお、シール突片２４は３枚以上であってもよい。
【００２３】
ガラス戸１３，１３を閉めた状態では、ガラス戸１３，１３における戸尻框１６，１６同士の間の隙間風もシール部材２７によって防がれるようになっている。具体的には、一方のガラス戸１３の戸尻框１６には、他方のガラス戸１３の戸尻框１６と対向する面のうち戸先框１８から離れた側の縁部に沿ってシール部材２７が設けられている。このシール部材２７は、前記した戸先框１８のシール突片２４と同形状のシール突片２６を１つ備え、他方のガラス戸１３の戸尻框１６における戸先框１８側の縁部に密着する。そして、このシール突片２６も、ガラス戸１３の開操作時に、弓なり形状から逆弓なり形状に反転する。また、この戸尻框１６のシール突片２６は、戸先框１８における１対のシール突片２４，２４が待受突壁２２から離間する前に、他方のガラス戸１３の戸尻框１６から離間する。
【００２４】
さて、上記したシール部材２５，２７とそれらの密着対象部材との間の摩擦により、ガラス戸１３を開く際には、初動時に比較的大きな抵抗がかかる。そこで、ガラス戸１３を開く際の初動抵抗を軽減するために、各ガラス戸１３の戸先框１８における室内面には、それぞれアシストハンドル７０が取り付けられている。これらアシストハンドル７０は、戸先框１８に固定されるベース部７１に対してハンドル部７５を回動操作可能に組み付けた構造になっている。
【００２５】
図２に示すように、ベース部７１は、上下方向に延びた連絡部７２と、その連絡部７２の上下の両端部から戸先側に突出した１対のベース突部７３，７３とを有し、室内側から見るとベース部７１全体が略Ｃ字形状になっている。また、ベース部７１の上下の両端部からは、室内側に向けて１対の上下対向壁７４，７４を連絡部７２から突出形成され、それら上下対向壁７４，７４の間にハンドル部７５が配置されて上下方向に延びている。
【００２６】
ベース部７１のうち戸先框１８に宛がわれる部分には、金属製の底蓋プレート７７が備えられ、ベース部７１のうち底蓋プレート７７以外は、樹脂で構成されたベース部本体７１Ｈになっている。また、ベース部本体７１Ｈにおける上下の両端部は、１対のキャップ部７１Ｃ，７１Ｃになっている。具体的には、ベース部本体７１Ｈのうちハンドル部７５より上側と下側の端部は、それぞれ上下に２分割されて、その分割面より端側部分がキャップ７１Ｃ，７１Ｃになっている。また、キャップ７１Ｃ，７１Ｃを外した状態で露出するベース部本体７１Ｈの各端面７１Ｔからは端部突壁７１Ｗが突出形成され、その端部突壁７１Ｗと底蓋プレート７７とが重ねられて底蓋固定螺子７７Ｎにて固定されている。
【００２７】
底蓋固定螺子７７Ｎは、底蓋プレート７７のうち戸尻側の端部に配置され、底蓋プレート７７における戸先側の端部には、框固定孔７７Ａが貫通形成されている。そして、框固定孔７７Ａに挿通した図示しない螺子によって底蓋プレート７７が戸先框１８に固定されている。また、ベース部本体７１Ｈの各端面７１Ｔには、端部突壁７１Ｗを間に挟んで底蓋プレート７７と反対側にピン孔７１Ｐが開口している。図３に示すように、ピン孔７１Ｐは、上下対向壁７４（キャップ７１Ｃを除く）とハンドル部７５とに跨って上下に延びるように形成されている。そして、ベース部本体７１Ｈの各端面７１Ｔ側からピン孔７１Ｐに挿入したピン７５Ｐ，７５Ｐにてハンドル部７５が回動可能に支持されている。また、上記した底蓋固定螺子７７Ｎ，７７Ｎは、ピン７５Ｐ，７５Ｐの延長線上に位置し、ピン７５Ｐ，７５Ｐをピン孔７１Ｐ，７１Ｐに抜け止めしている。このように、本実施形態のアシストハンドル７０では、底蓋固定螺子７７Ｎを、底蓋プレート７７の固定とピン７５Ｐの抜け止めとに兼用したので、部品点数の削減が図られる。
【００２８】
ハンドル部７５の水平断面形状は、図４（Ａ）及び図４（Ｂ）に示されている。図４（Ａ）に示すように、ハンドル部７５は、非操作時において、回動軸から室内側に向かって戸尻側に傾斜するように突出した第１Ｌ字構成壁７５Ｘと、その第１Ｌ字構成壁７５Ｘの先端部から鋭角に屈曲して戸先側に突出した第２Ｌ字構成壁７５Ｙとから構成された略Ｌ字形状をなしている。そして、ハンドル部７５を可動範囲の終端位置まで回動したときには、図４（Ｂ）に示すように、第１Ｌ字構成壁７５Ｘが戸尻側に倒れて、第２Ｌ字構成壁７５Ｙが室内側に突出した状態となる。また、本実施形態では、第１Ｌ字構成壁７５Ｘと第２Ｌ字構成壁７５Ｙの間の凹部が、本発明に係る前側指先係止凹部７５Ｆになっている。さらに、ハンドル部７５の非操作時においては、第１Ｌ字構成壁７５Ｘの戸尻側への傾斜とベース部７１のうち第１Ｌ字構成壁７５Ｘより戸尻側に配置された壁部とによって、ハンドル部７５のうち戸尻側を向いた外面に凹部が形成され、その凹部が本発明に係る後側指先係止凹部７５Ｒになっている。
【００２９】
詳細には、図４（Ａ）に示すように、ハンドル部７５の非操作時においては、第２Ｌ字構成壁７５Ｙの外面が上下対向壁７４のうち室内側を向いた側面と面一になると共に、第１Ｌ字構成壁７５Ｘの先端部の外面が上下対向壁７４のうち戸尻側を向いた側面とが面一になる。また、第２Ｌ字構成壁７５Ｙは、先端に向かうに従って薄くなっていて、第２Ｌ字構成壁７５Ｙの内面は、ハンドル部７５の非操作時には、戸先框１８におけるアシストハンドル７０の取り付け面に対して傾斜している。そして、ハンドル部７５を可動範囲の終端位置まで回動したときには、図４（Ｂ）に示すように、第２Ｌ字構成壁７５Ｙの内面が、戸先框１８におけるアシストハンドル７０の取り付け面に対して略直交した状態になる。さらに、第２Ｌ字構成壁７５Ｙの内面には、先端寄り位置に滑り止め用の段差７５Ｄが設けられている。
【００３０】
図３に示すように、両方のベース突部７３の内部には、それぞれ略角柱状の押圧部７８，７８がガラス戸１３の開閉方向に直動可能に収容されている。その押圧部７８には、図４（Ａ）に示すように、ベース突部７３と反対側の面にバネ収容溝７８Ａが形成されている。また、ベース部本体７１Ｈからはバネ収容溝７８Ａ内に向かってバネ受け片７１Ｓが突出形成されている。そのバネ受け片７１Ｓは、アシストハンドル７０の不使用時には、バネ収容溝７８Ａのうち底蓋プレート７７から離れた側の端部に位置している。そして、バネ収容溝７８Ａのうち底蓋プレート７７側の端面とバネ受け片７１Ｓとの間に圧縮コイルバネ７９が収容され、その圧縮コイルバネ７９の弾発力によって押圧部７８が戸尻側に付勢されている。
【００３１】
ハンドル部７５の上下の両端部には、回動中心から底蓋プレート７７側に突出して、各押圧部７８における戸尻側の端面に当接した１対のハンドル基端摺接部７５Ｋ，７５Ｋが設けられている。そして、ハンドル部７５を戸尻側に回動すると、図４（Ｂ）に示すように、ハンドル基端摺接部７５Ｋ，７５Ｋが押圧部７８，７８に摺接しながら圧縮コイルバネ７９に抗して押圧部７８をベース部７１から戸先側に押し出す。また、押圧部７８の直動ストロークの初期位置では、図４（Ａ）に示すようにハンドル基端摺接部７５Ｋとベース部７１の内面（図４（Ａ）の符号７１Ｎ参照）との当接によって押圧部７８が位置決めされる。また、押圧部７８の直動ストロークの終端位置では、図４（Ｂ）に示すように、ハンドル部７５とベース部７１のうちハンドル部７５より戸尻側の外面（図４（Ｂ）の符号７１Ｍ参照）との当接によって押圧部７８が位置決めされる。なお、アシストハンドル７０は、図１に示すように、ガラス戸１３を閉じかつ押圧部７８が直動ストロークの後端位置に配置された状態で、押圧部７８の端面が開閉口１０の内側面１０Ｈに対して所定寸法の隙間を開けて対向するように配置されている。
【００３２】
本実施形態に係るアシストハンドル７０の構成に関する説明は以上である。次に、アシストハンドル７０の作用効果について説明する。ガラス戸１３が閉じた状態でアシストハンドル７０を利用してガラス戸１３を開くには、図５（Ａ）に示すように、ハンドル部７５の第２Ｌ字構成壁７５Ｙに指を掛け、図５（Ｂ）に示すように戸尻側に引いてハンドル部７５を回転させる。すると、押圧部７８が開閉口１０の内側面１０Ｈを押圧して、ガラス戸１３を開く際の初動抵抗が軽減される。ここで、押圧部７８は対をなしてベース部７１の上下の１対のベース突部７３，７３に組み付けられているので、ハンドル部７５を戸尻側に引いたときには、１対の押圧部７８，７８が上下方向で間隔を空けた２箇所で開閉口１０の内側面１０Ｈを押圧することになる。これにより、安定した押圧が可能になる。また、ハンドル部７５に指を掛ける際に、例えば、図５（Ａ）に示すように、折り曲げた指の間接が戸先框１８側に突出しても、図２に示すようにベース部７１全体が略Ｃ字形状になっているので、指先又は指の関節部分をベース部７１における上下の１対のベース突部７３，７３の間に突入させてハンドル部７５に指を掛けることができる。これにより本実施形態のアシストハンドル７０では、全体を薄くしてもハンドル部７５を操作する際の手がベース部７１に干渉し難くなる。即ち、本実施形態のアシストハンドル７０によれば、全体を薄くしてガラス戸１３からの突出量を抑えることが可能でありかつ操作性も向上させることができる。しかも、ハンドル部７５は、回動軸から戸尻側に傾斜して突出した第１Ｌ字構成壁７５Ｘと、その先端部から鋭角に屈曲して戸先側に突出した第２Ｌ字構成壁７５Ｙとで構成されているので、第１と第２のＬ字構成壁を直交させた単なるＬ字形状のハンドル部に比べても非操作時における室内側への突出量を抑えることができる。
【００３３】
［第２実施形態］
以下、本発明の第２実施形態に係るアシストハンドル４０について、図６〜図９を参照して説明する。このアシストハンドル４０は、図６に示すように、戸先框１８に固定され、ハンドル部４５をスライド操作可能に備えている。
【００３４】
アシストハンドル４０のベース部４１は、図７に示すように、上下方向に延びた連絡部４２と、その連絡部４２の上下の両端部から戸先側に突出した１対のベース突部４３，４３とを有し、室内側から見るとベース部４１全体が略Ｃ字形状になっている。また、ベース部４１には、図８に示すように、１対のベース突部４３，４３のうち連絡部４２側の縁部を除いた略全体を、連絡部４２に対して室外側に膨出させて１対のフード部４４，４４が形成されている。また、各フード部４４には、戸尻側に向かって開放した開口４４Ｋが形成されている。なお、各フード部４４は、連絡部４２から突出した方向の途中部分で２分割され、その分割面より戸先框１８から離れた側が着脱可能なキャップ４４Ｃになっている。
【００３５】
ハンドル部４５は、上下方向でベース部４１と同じ長さをなした帯板状の本体部４５Ｈと、その本体部４５Ｈの上下の両端部からフード部４４，４４の開口４４Ｋ，４４Ｋに向けて突出した１対の連結突片４６，４６とからなる。そして、図７に示すように、連結突片４６，４６の略全体がフード部４４，４４内に収容された始端位置と、図８に示すように、連結突片４６，４６の先端部のみがフード部４４，４４内に収容された終端位置との間をスライドする。なお、本体部４５Ｈのうち戸先側を向いた面には、連結突片４６，４６の間には、本発明に係る前側指先係止凹部４５Ａが陥没形成されている。
【００３６】
１対のベース突部４３，４３には、前記第１実施形態のアシストハンドル７０と同様に押圧部７８，７８が直動可能に組み付けられている。そして、図７に示すように、ハンドル部４５が始端位置に配置された状態では、押圧部７８，７８がベース突部４３，４３内で待機する一方、図８に示すように、ハンドル部４５を終端位置まで引くと、押圧部７８，７８がベース突部４３，４３から戸先側に突出する。このように、ハンドル部４５と押圧部７８，７８とを連動させるために、図９に示すように、各連結突片４６と押圧部７８とがギヤ連結されている。
【００３７】
具体的には、ベース突部４３内には、大歯車５３と小歯車５４とを一体に備えた中継ギヤ５５が設けられて、ガラス戸１３の厚さ方向で貫通する回転軸を中心に回転可能に支持されている。また、連結突片４６のうち戸先框１８側に向いた面には、入力ラック５２が一体に設けられている。その入力ラック５２が、上下方向で中継ギヤ５５を間に挟んで押圧部７８と反対側から、中継ギヤ５５の大歯車５３に噛合している。また、押圧部７８には中継ギヤ５５側を向いた面に出力ラック５６が一体に設けられ、その出力ラック５６が中継ギヤ５５の小歯車５４に噛合している。これにより、ハンドル部４５を戸尻側に引くと、押圧部７８が戸先側に突出するようになっている。
【００３８】
本実施形態のようにハンドル部４５をスライド操作するタイプのアシストハンドル４０においても、ベース部４１全体を略Ｃ字形状にすることで、指先又は指の関節部分をベース部４１における上下の１対のベース突部４３，４３の間に突入させてハンドル部４５に指を掛けることができるようになる。これによりアシストハンドル４０全体を薄くしてもハンドル部４５を操作する際の手がベース部４１に干渉し難くなる。即ち、前記実施形態と同様に、アシストハンドル４０全体を薄くしてガラス戸１３からの突出量を抑えることが可能でありかつ操作性も向上させることができる。
【００３９】
［第３実施形態］
本実施形態のアシストハンドル７０Ｖは、図１０（Ａ）及び図１０（Ｂ）に示されており、前記第１実施形態のアシストハンドル７０のハンドル部７５に対して、第１Ｌ字構成壁７５Ｘを短くする一方、第２Ｌ字構成壁７５Ｙを長くしてベース突部７３，７３の間の空間を覆う位置まで延ばした構造になっている。これにより、アシストハンドル７０全体を一層薄くすることができる。
【００４０】
［他の実施形態］
本発明は、前記実施形態に限定されるものではなく、上記以外にも要旨を逸脱しない範囲内で種々変更して実施することができる。
【符号の説明】
【００４１】
１０    開閉口
１０Ｈ  内側面
１３    ガラス戸（障子）
１８    戸先框
４０，７０，７０Ｖ    アシストハンドル
４１，７１    ベース部
４３，７３    ベース突部
４５，７５    ハンドル部
４５Ａ，７５Ｆ  前側指先係止凹部
７１Ｐ  ピン孔
７１Ｗ  端部突壁
７２    連絡部
７３    ベース突部
７４  上下対向壁
７５Ｐ  ピン（回動軸）
７５Ｒ  後側指先係止凹部
７５Ｘ  第１Ｌ字構成壁
７５Ｙ  第２Ｌ字構成壁
７７    底蓋プレート
７７Ｎ  底蓋固定螺子
７８    押圧部
【図１】
0005393522.tif 000002
【図２】
0005393522.tif 000003
【図３】
0005393522.tif 000004
【図４】
0005393522.tif 000005
【図５】
0005393522.tif 000006
【図６】
0005393522.tif 000007
【図７】
0005393522.tif 000008
【図８】
0005393522.tif 000009
【図９】
0005393522.tif 000010
【図１０】
0005393522.tif 000011